(57)【要約】【課題】ユリ科の秋植え球根類であるオーニソガラム・シルソイデスの球根生産に関して、特別な施設機材・技術を用いることなく、省スペース・低コストで、増殖効率の高い生産方法を提供すること。【解決手段】本発明は、以下の２過程によってオーニソガラム・シルソイデスの球根を生産する。まず、母株から葉を採取し、これを葉挿しすることで、１年球を作出する（過程１）。さらに、１年球をセルトレーに植え付けて栽培することにより、２年球（通常の球根）を得る（過程２）。【選択図】図１
2008048655.tif 000002
【特許請求の範囲】
【請求項１】
葉挿しを利用したことを特徴とするオーニソガラム・シルソイデスの球根生産方法
【請求項２】
オーニソガラム・シルソイデスの球根生産方法において、母株から葉を採取し、これを葉挿しすることで１年球を作出する（過程１）、１年球をセルトレーに植えて栽培することにより、２年球（通常の球根）を得る（過程２）、上記の過程１、２からなることを特徴とする、請求項１のオーニソガラム・シルソイデスの葉挿しを利用した球根生産方法。
【発明の詳細な説明】
【技術分野】
【０００１】
本発明は、ユリ科オーニソガラム属シルソイデス種の球根生産方法に関する。球根生産の方法としては、葉挿しによって小球根を育成し、この小球根を養成することによって、特別な施設機材・技術を用いることなく省スペース・低コストで、増殖効率の高い生産を行う方法に関する。
【背景技術】
【０００２】
オーニソガラム・シルソイデスはユリ科に属する花きである。現在のところ、本種には、同じユリ科であるユリやチューリップほどの需要はない。しかし、白くて小さな花を多数つけるという本種の特徴が清楚なイメージを持たせるため、今後、ブライダル花等として需要が高まることが期待されている。今後の需要の増大に対応して生産を増やしていくためには、球根を効率良く増殖して農家に供給していくことが必要となるが、本種に関してはそのような球根生産技術は開発されていない。具体的に述べると、球根類の繁殖の仕方としては、種子繁殖と分球があげられるが、本種の場合、種子を形成しないため種子繁殖は不可能である。また分球についても、本種の場合、１個の母球根から分球によって得られる子球根の数は１〜４個程度であり、増殖効率が低い。
【０００３】
本種と同じユリ科であるユリ類では、効率的な増殖方法として組織培養による球根生産方法が開発されている（特開平８−１７２９５４、特開平１０−３３０７８）。また、特開平８−８９１１７においては、ユリ類を始めとする球根類を組織培養によって工業的に生産する方法が開示されている。これらの方法に示されているように、組織培養による球根生産方法は短期間に非常に高い増殖率が得られるという利点がある。しかし、その一方で、(1)専用の施設機材を必要とするため専用のスペースとコストを要する、(2)専門技術を習得した者でなければ実施できない、(3)したがって一般の栽培現場で実施できない、という欠点を持っている。
【発明の開示】
【発明が解決しようとする課題】
【０００４】
本発明は、組織培養によらない方法によって、本種の球根を簡便かつ効率良く生産することを目的としている。ここでいう簡便とは以下の条件を満たすことである。第１に、特別な施設機材を必要としないことから省スペースであり、なおかつ低コストであること、第２に、特別な技術を必要としないことから一般の栽培現場でも実施できることである。また、ここでいう効率良いとは、分球よりも格段に高い増殖率を有することが条件となる。
【課題を解決するための手段】
【０００５】
本発明は、葉挿しによって小球根を作出し、これを養成することによって球根を生産するという、従来行われてきた植物の球根生産方法とは全く異なる方法を用いている。葉挿しは植物の簡便な繁殖方法として広く行われているが、通常の葉挿しは、挿した葉から発根や発芽を誘導して新しい植物体を作る方法である。一方、本発明のように挿した葉から球根を作出・養成するという方法は他に例がない。
【０００６】
本発明の概要を述べると、以下の過程によって本種の球根を生産する。まず、１年目に球根を植え付けて母株を栽培する。次に、２年目に母株から葉を採取し、これを葉挿しすることで、１年球を作出する。さらに、１年球を植え付けて栽培（養成）することにより、３年目に２年球（通常の球根）を得る。以上の方法によって、「発明が解決しようとする課題」で示した条件を満たした本種の球根生産が可能である。
【発明の効果】
【０００７】
本発明の球根生産方法は、通常の温室設備で実施可能であり、組織培養のように専用の施設機材は不要であることから低コストでの球根生産が実現する。スペース面では、通常の温室設備内で１坪程度の面積があれば球根を1000球以上生産することができるので、省スペースである。また、本発明に用いられる技術は葉挿しを始めとして容易なものばかりであり、組織培養のように専門技術は不要である。本発明が、低コスト、省スペース、容易な技術で実施可能であるということは、農家が球根を自給することも可能ということであり、農家にとっては種苗を購入する必要がなく、経営上の低コスト化が望める。
【０００８】
本発明の増殖効率については、１枚の葉から約50球の球根を得ることができる。これは、一般に組織培養を利用した方法に比べれば、増殖効率は低いと考えられるが、分球に比べれば増殖効率は遙かに高い。
【発明を実施するための最良の形態】
【０００９】
以下に本発明の実施の形態を説明する。図１は、本発明による球根生産方法の実施の過程を説明する図である。本方法は、母株から葉を採取し、これを葉挿しすることで１年球を作出すること（過程１）、１年球をセルトレーに植えて栽培することにより、２年球（通常の球根）を得ること（過程２）、の２過程からなる。
【００１０】
母株の育成について説明する。オーニソガラム・シルソイデスの球根を秋（この年を１年目とする）にプランターまたは鉢に植え付ける。植え付けの時期は、９月中旬以降（実施場所である秋田県では平均気温が20℃以下）なら可能だが、最適期は10月中下旬（平均気温10〜15℃）である。植え付け後の温度については、下限は凍らない温度（日平均気温が０℃以上）、上限は20℃であり、この範囲内であれば加温栽培でも無加温栽培でもかまわない。温度が高すぎると、葉が異常に伸長してしまうことがあり、また、温度が低すぎると、凍害を受けるので注意する。
【００１１】
葉挿しについて説明する。冬〜春に母株から葉を採取する。葉の採取時期については、オーニソガラム・シルソイデスは冬期間も葉をつけているので冬〜春の期間のいつでも可能である。しかし、時期が遅すぎると、葉挿し後の１年球形成時期が夏の高温期にあたるため、１年球の形成が不良となる（「００２２」参照）。一方、時期が早すぎると、小さい葉しか得られないため葉１枚から得られる１年球の個数が少なくなる。したがって、ある程度大きな葉（葉長20ｃｍ以上が好ましい）が得られ、なおかつ１年球形成時期が夏にあたらない２年目の１〜３月（この時期の平均気温は０〜５℃）が葉挿しの適期となる。
【００１２】
葉の採取に続いて葉挿しを行う。葉をハサミ等で横に切断して、５〜６等分し、葉片を調製する。この時、葉片をさらに縦に切って小さな葉片を多数作ったとしても、葉片１枚あたりの１年球形成数も減ってしまうので、増殖効率を高めることにはつながらない（「００２３」参照）。葉片は、バーミキュライト等のような保水性と通気性のある園芸用土に挿す。
【００１３】
葉挿し後の管理の仕方および１年球の形成について説明する。冬〜春期間の温度については、下限は凍らない温度（日平均気温が０℃以上）、上限は30℃でも可能である。しかし、温度が高すぎると、１年球の形成数が少なくなること（「００２２」参照）と、暖房のコストもかかることから、実際には10〜15℃とするのが望ましい。水やりについては、用土が常時湿っているようにする。10〜15℃で管理した場合、葉挿しから約１か月後に葉片の下辺（用土の中に埋まっている部分）に直径約１〜２ｍｍの小球（１年球）が形成される。さらに、葉挿しから２か月後には１年球から葉と根が生ずるので、このころから適時液体肥料を施用する。葉と根はその後も生育を続け、１年球も肥大するが、２年目の６月になると温度上昇（平均気温20℃以上）に伴って、葉は黄化し出すので、このころから水やりを中止する。
【００１４】
１年球の採取について説明する。水やり中止から１ヶ月ほどで葉は枯れるので、用土の中から１年球を採取する。１年球の大きさは、直径７〜８ｍｍくらいの大きなものから直径１ｍｍ程度のものまで様々得られるが、小さな球根は、取り扱いが困難な上に、一般に植え付け後の生育が好ましくない場合も多いので、直径３ｍｍ以上の１年球を採取することが望ましい。採取した１年球は風通しの良い日陰で保管する。
【００１５】
１年球の栽培（養成）について説明する。まず、１年球の植え付け時期についてだが、２年目の10月下旬になると温度低下（平均気温15℃以下）に伴って保管していた１年球は植え付けなくとも自然に発芽を開始するので、この時が１年球の植え付け適期になる。もし、この時期より早い時期に１年球を植え付けたとしても、１年球の休眠が十分に打破されていないため、発芽率は低くなる（「００２４」参照）。
【００１６】
１年球の植え付け方法について説明する。市販の園芸用培養土をセルトレーにつめて、そこに１年球を植え付ける。未発芽の１年球は、休眠が十分に打破されていない可能性があるので、使用しないことが望ましい。セルトレーのサイズとしては、98穴〜50穴が適当である。
【００１７】
植え付け後の管理の仕方と１年球の生長について説明する。冬〜春期間の温度については、下限は凍らない温度（日平均気温が０℃以上）、上限は20℃であり、この範囲であれば加温栽培でも無加温栽培でもかまわない。水やりについては、用土が乾燥しないようにする。10〜15℃で栽培した場合、植え付け直後から葉と根が生ずるので、適時液体肥料を施用する。葉と根はその後も生育を続け、１年球も肥大するが、３年目６月になると温度上昇（平均気温20℃以上）に伴って、葉は黄化し出すので、このころから水やりを中止する。
【００１８】
２年球の採取について説明する。水やり中止から１ヶ月ほどで葉は枯れるので、セルトレーの中から２年球を採取する。直径約２ｃｍの均一な２年球が得られる。この２年球が通常の球根であり、母株の育成開始からは21か月、葉挿しからは18か月で球根が得られることになる。
【００１９】
以上、本発明による球根生産方法の実施の過程を説明した。以下に、本発明によって生産された球根からの栽培について説明する。「００１８」において生産された２年球は、風通しの良い日陰で保管する。３年目の10月中下旬になると、温度低下（平均気温15℃以下）に伴って保管していた２年球は植え付けなくとも自然に発芽を開始するので、この時が２年球の植え付け適期になる。植え付け方法および植え付け後の管理の仕方については、母株の育成（「００１０」）と同様である。上記条件で栽培した場合、４年目の５月中下旬に品質的に優良かつ均一な開花株が得られる。
【実施例１】
【００２０】
2002年を１年目として、2005年５月に開花株を得た例を説明する（図２）。母株の育成については、2002年10月に球根をプランターに植え付けて無加温ガラス温室で栽培した。葉挿しによる１年球の作出については、2003年１月に母株から長さ25ｃｍの葉40枚を採取し、葉１枚を５等分して、長さ約５ｃｍの葉片を200枚調製した。葉片は、バーミキュライトを入れた播種箱（50ｃｍ×35ｃｍ）に50片ずつ、すなわち、播種箱４個（面積約0.7ｍ2）に挿した。同年７月までガラス温室（冬期は10〜15℃に加温）で栽培した結果、葉片に直径３ｍｍ以上の１年球が約2000球形成されたので、採取して、室温で保管した。１年球の栽培（養成）については、2003年10月に１年球1296球を72穴トレー18枚（面積約３ｍ2）に植え付けて、ガラス温室（冬期は10〜15℃に加温）で栽培した。2004年７月に２年球を採取したところ、直径約２ｃｍの均一な２年球が1296球得られた。この２年球のうち任意に選んだ約500球を2004年10月に５号鉢に植え付け栽培した結果、2005年５月に480株以上（植え付けた球根の95％以上）の品質的に優良かつ均一な開花株が得られた。以上の結果から、本発明によって、母株の葉片１枚から平均10球（母株の葉１枚からは平均50球）の球根が得られることが示された。
【実施例２】
【００２１】
2003年を１年目として、2006年５月に開花株を得た例を説明する（図３）。2003年10月に「実施例１」と同様に母株を育成した。葉挿しによる１年球の作出についても「実施例１」と同様に行った結果、2004年７月に直径３ｍｍ以上の１年球が2000球以上形成された。１年球の栽培（養成）については、2004年10月に１年球2016球を72穴トレー28枚（面積約５ｍ2）に植え付けて、「実施例１」と同様に栽培した結果、2005年７月に直径約２ｃｍの均一な２年球2016球が得られた。この２年球のうち任意に選んだ約500球を2005年10月に植え付け栽培した結果、2006年５月に480株以上（植え付けた球根の95％以上）が開花した。以上の結果から、本発明は十分な再現性を有することが示された。
【実施例３】
【００２２】
１年球の形成に及ぼす温度の影響を調べるため、葉挿し後、人工気象室内において15、20、25、30℃で管理した。その結果、25℃と30℃では、葉ざしから約６週間後に１年球が形成されたが、８週間後には葉が黄化してやがて枯れた。一方、15℃と20℃では、８週間後においても黄化することはなく生長はすすんでいた。そのため、最終的な葉片１枚あたりの１年球形成数は、15℃では平均7.1個、20℃では平均6.1個、25℃では平均4.4個、30℃では平均3.7個となった。以上の結果から、葉挿し後の温度管理は高温を避けることが好ましいことがわかった。なお、本実施例では、葉片１枚あたりの１年球形成数が他実施例に比べて少ないが、これは人工気象室内での実施であったため、光が弱かったことが理由と思われる。
【実施例４】
【００２３】
１年球の形成に及ぼす葉片の大きさの影響を調べるため、葉挿し時の葉片の大きさを「大（「実施例１」で説明した大きさ：長さ５ｃｍ×幅約５ｃｍ）」と「小（大を縦に切って半分の大きさとした：長さ５ｃｍ×幅約2.5ｃｍ）」の２種類にして比較した。その結果、「大」の葉片１枚あたりの１年球形成数は平均10.6個、「小」は5.5個だった。この結果から、葉片を小さくしても、１年球形成数の増加にはつながらないことがわかった。
【実施例５】
【００２４】
１年球の休眠打破時期を調べるため、１年球の植え付けを９月18日（平均気温約20℃）、10月２日（平均気温約16℃）、10月23日（平均気温約12℃）に行い、その後、人工気象室内において20℃で管理した。その結果、11月６日における１年球の発芽率は、9/18植え付け（植え付け７週後）では36％、10/2植え付け（植え付け５週後）では48％、10/23植え付け（植え付け２週後）では92％だった。この結果から、１年球の植え付け時期が早すぎると、休眠が十分に打破されていないため、発芽率が下がることがわかった。
【００２５】
オーニソガラム・シルソイデスの分球による増殖率と本発明による増殖率を比較した。まず分球を説明する。直径２ｃｍの球根を１年目10月に植え付けた場合、２年目７月には分球せず直径約４ｃｍの球根が１個得られた。この球根を２年目10月に植え付けると、３年目７月には平均４個に分球した。一方、本発明では、「００２０」で説明した通り、直径２ｃｍの球根を１年目10月に植え付けて母株を育成した場合、３年目７月には50球の球根が得られることから、本発明は従来法である分球に比べて約10倍の増殖率を持つことがわかった。
【図面の簡単な説明】
【００２６】
【図１】本発明による球根生産の過程
【図２】2002年を１年目として、2005年５月に開花株を得た例（実施例１）
【図３】2003年を１年目として、2006年５月に開花株を得た例（実施例２）
【図１】
2008048655.tif 000003
【図２】
2008048655.tif 000004
【図３】
2008048655.tif 000005